(57)【要約】【課題】近接して配置された操作ボタンを２つ同時に押した場合に、操作ボタンの同時押しが防止できるようにする。【解決手段】ケース１０内に複数のスイッチ７を設け、同スイッチ７の上方に複数の操作ボタン３０が近接して配置され、個々の操作ボタン３０の裏面中央に前記スイッチ７を押下する突起部３７を備えた操作ボタン装置において、前記ケース１０内の隣接する前記操作ボタン３０の間に対応する位置には、支持部８０と第１作用片８１ｂと第２作用片８１ｃからなる操作規制部８を設ける一方、前記操作ボタン３０の裏面には、同操作ボタン３０の押下により、前記操作規制部８を操作するリブ３６を設ける。【選択図】  図５
2011210504.tif 000002
【特許請求の範囲】
【請求項１】
ケース内に複数のスイッチを設け、同スイッチの上方に複数の操作ボタンが近接して配置され、個々の操作ボタンの裏面で中央に前記スイッチを押下する突起部を備えた操作ボタン装置において、
前記ケース内の隣接する前記操作ボタンの間に対応する位置には、支持部と第１作用片と第２作用片からなる操作規制部を設ける一方、前記操作ボタンの裏面には、同操作ボタンの押下により、前記操作規制部を操作するリブを設けたことを特徴とする操作ボタン装置。
【請求項２】
請求項１に記載の操作ボタン装置を備えたことを特徴とする電子または電気機器。
【発明の詳細な説明】
【技術分野】
【０００１】
本発明は、近接して配置された複数の操作ボタンの同時押しによる誤操作を防止した操作ボタン装置及びそれを備えた電子または電気機器に関する。
【背景技術】
【０００２】
近年、バリアフリーへの関心が高まり、例えば一般家庭においては屋内の壁に配設される照明機器の操作ボタンを大型にすることで、暗い中でも操作ボタンをすぐに探せて押しやすくすることで、使い勝手の向上を図ったものがある。一方でインテリアへの関心も高まり、屋内に設置される住設機器は目立たないシンプルなものが好まれ、色彩は壁紙に馴染む白系で、形状は凹凸の無い形が多くなってきている。使い勝手が良く目立たない操作ボタンの従来例として浴室用リモコンは、大型の四角い操作ボタンを併設して並べ、ボタンの名称は発光素子により絵文字が点灯することで、リモコンを使用しない時はボタンの名称も点灯されずに、四角いフラットな操作ボタンが浴室の壁のタイル等と馴染み、存在を主張しないものとなる（例えば、特許文献１参照）。
【０００３】
操作はそのうちの１つの操作ボタンを押し込むことで行われるが、操作ボタンを近接して配置し、操作ボタンの間に仕切壁を設けていないことで、特定の１個の操作ボタンを押し込むつもりであっても、隣の操作ボタンを同時に押し込むことがあり、誤操作の原因となっていた。
【０００４】
そこで、このような近接して配置された操作ボタンの同時押しによる誤操作を防止するために、操作ボタンの近接部の裏側に操作ボタンの押下を止めるストッパーを設け、操作ボタンの近接部を押した場合はスイッチが作用しないようにすることが行われている（例えば、特許文献２参照）。
【先行技術文献】
【特許文献】
【０００５】
【特許文献１】特開２００９−７２４６０号公報
【特許文献２】特開平８−２２２０８６号公報
【発明の概要】
【発明が解決しようとする課題】
【０００６】
しかしながら、操作ボタンの近接部を押しただけでどちらのスイッチも作用しないとなると、ユーザーは誤操作ではなく機器の故障と判断することもある。
【０００７】
本発明の目的は、近接して配置された操作ボタンを２つ同時に押した場合に、押圧力の差により、どちらか一方の操作ボタンのスイッチが作用した状態となる操作ボタン装置と、それを備えた電子又は電気機器を提供することである。
【課題を解決するための手段】
【０００８】
上記目的を達成するために、請求項１にかかる発明の操作ボタン装置は、ケース内に複数のスイッチを設け、同スイッチの上方に複数の操作ボタンが近接して配置され、個々の操作ボタンの裏面で中央に前記スイッチを押下する突起部を備えた操作ボタン装置において、前記ケース内の隣接する前記操作ボタンの間に対応する位置には、支持部と第１作用片と第２作用片からなる操作規制部を設ける一方、前記操作ボタンの裏面には、同操作ボタンの押下により、前記操作規制部を操作するリブを設けたことを特徴とする。
【０００９】
請求項２にかかる発明の電子又は電気機器は、請求項１に操作ボタン装置を備えたことを特徴とする。
【発明の効果】
【００１０】
本発明によれば、仕切りを設けずに近接して配置された操作ボタンを２つ同時に押した場合に、押圧力の差により、操作ボタンの裏面に設けたリブが先に操作規制部の作用片に接した方の操作ボタンのスイッチが作用し、一方の操作ボタンは操作規制部の作用片によって動きを規制されることにより、２以上の操作ボタンの同時押しが防止できるようになる。
【図面の簡単な説明】
【００１１】
【図１】本発明の実施例の操作ボタン装置を搭載したリモコン装置の斜視図である。
【図２】（a）（ｂ）共に本発明の実施例の操作ボタン装置を搭載したリモコン装置の正面図である。
【図３】本発明の実施例の操作ボタンを裏側から見た斜視図である。
【図４】図２のＡ−Ａ’断面部分拡大図で、（ａ）は操作ボタンが押されていない状態を示し、（ｂ）は１つの操作ボタンを押した状態を示し、（ｃ）は二つの操作ボタンを同時に押した状態を示す。
【図５】図２のＢ−Ｂ’断面部分拡大図で、（ａ）は操作ボタンが押されていない状態を示し、（ｂ）は二つの操作ボタンを押圧力に差をつけて押した状態を示し、（ｃ）は二つの操作ボタンを同じ押圧力で押した状態を示す。
【図６】（ａ）は本発明の実施例の操作規制部を示す図で、（ｂ）は操作規制部の分解図である。
【発明を実施するための形態】
【００１２】
本発明にかかる操作ボタン装置は、図１、図２に示すリモコン装置１に使われる。このリモコン装置１は室内の壁面に配設され、天井埋込形やビルトイン形などの使用者の手の届かない天井や天井裏に設置される空気調和機（図示せず）の操作に使われ、空気調和機本体とは壁面裏を通したワイヤで繋がれる。リモコン装置１の形状は正面が正方形で、奥行きは薄く、直接壁に取り付けても良いし、壁に嵌め込んで設置しても良い。このリモコン装置１は全体を囲むケース１０と、背面を塞ぐベース１１と、正面上部に配置された液晶画面２０からなる表示部２と、正面下部を占める操作部３とで構成されており、リモコン装置１の正面を表示部４と操作部３の上下２分割にして、スッキリとした意匠としている。
【００１３】
ケース１０の操作部３に対応する部分にはケース凹部１２が設けられ、複数の操作ボタンが配置されている。操作ボタンは正面視で操作部３内を縦に直線で３分割して、次に３分割された右側と左側の列を上下に３分割する。右列は操作ボタン３０となり個々には下から順に操作ボタン３０ａ、３０ｂ、３０ｃとなる。また左列も同様に操作ボタン３１となり個々には下から順に操作ボタン３１ａ、３１ｂ、３１ｃとなる。中央には大きな四角形で裏面の上下左右にスイッチとの接点がある十字ボタン３２があり、十字ボタン３２の中央には円形状の決定ボタン３３が配置されている。それぞれの操作ボタンは、間に仕切壁を設けずに近接して配置されており、操作ボタンの表面は面一に揃えられ、凹凸感を感じさせないシンプルな形状となっている。
【００１４】
前記リモコン装置１は、最大９台の空気調和機の制御が可能である。運転停止時は液晶画面２０が非点灯であり、右列下段の操作ボタン３０ａを押すと液晶画面２０が点灯され、各部屋に設置されている空気調和機の今回の操作前の状態が表示されると共に運転が開始される。図２（ａ）の液晶画面２０内で四角の枠の中を白抜きで［ｏｆｆ］と表示されている部屋は運転停止状態であり、黒い四角の枠の中に設定温度と冷房を表す雪のマークが表示されている部屋は冷房運転開始となる。次に操作部の中央に配置された十字ボタン３２の上下左右のキーを操作して制御したい部屋までカーソルを移動し、十字ボタン３２の中央に位置する決定ボタン３３を押して選択する。図２（ａ）の液晶画面２０内では［Ｒｏｏｍ１］が選択された状態であり、次に図２（ｂ）に示すように、液晶画面２０は［Ｒｏｏｍ１］の現在の状態を表示する。［Ｒｏｏｍ１］は設定温度２６度の冷房モードで運転中であるが、運転を停止したいときは、十字ボタン３２を操作して液晶画面２０で［Ｏｆｆ］を選択する。同様に運転モードや設定温度を制御することができる。操作部３の左右列上段の操作ボタン３０ｃ、３１ｃはファンクションボタンで、各部屋をグループで制御したい時や一括で制御したい時に設定するボタンであり、左列中段の操作ボタン３１ｂはウイークリータイマーやメンテナンス等の特殊なメニューを画面に呼び出すためのメニューボタンで、左列下段の操作ボタン３１ａは操作を一つ戻すキャンセルボタンである。全ての部屋の運転を一括して停止したい時は、右列中段の操作ボタン３０ｂのストップボタンを押すと全部屋の運転が停止すると共に液晶画面２０が非点灯となる。
【００１５】
次に図３〜図７に示す操作ボタン装置について説明する。操作ボタン３０、３１は前述したように直線で区切られたことでそれぞれ同形状の短冊形となっている。図３は操作ボタン３０ｂを裏側から見た斜視図であるが、他の操作ボタンも同様の構成となっている。操作ボタン３０ｂの裏面には、短冊形の短辺側の端に係止爪３４と、もう一方の端にケース凹部１２に回動自在に軸支される支軸３５が設けられ、長辺側の２辺には後述するリブ３６が設けられ、操作ボタン３０ａの中央には突起部３７が設けられている。
【００１６】
次に図４（ａ）のＡ−Ａ’拡大断面図に示すように、ケース１０内にはケース凹部１２を挟んでゴムシート５で覆われた基板６が収納されている。同基板６には操作ボタン３０ｂの突起部３７に対向する位置にスイッチ７が取り付けられている。前記ゴムシート５のスイッチ７に当たる部分は、スイッチ７と接しないように隙間を空けたドーム状に形成され、同ドーム状の頂点が前記操作ボタン３０、３１を押した際に、突起部３７に押され、弾性によりスイッチ７を押して導通させるゴムシート接点５１となる。前記スイッチ７と前記ゴムシート接点５１は前記ケース凹部１２に設けられた挿通孔１３から突出し、前記ゴムシート接点５１は前記突起部３７に当接している。
【００１７】
操作ボタン３０ｂの前記支軸３５は、ケース凹部１２から立設した支軸用爪１４に係合されている。また前記係止爪３４もケース凹部１２に係止されている。図４（ｂ）に示すように、指４１で操作ボタン３０ｂを押すと、支軸３５を回動軸として係止爪３４が奥側へ移動することで、ゴムシート接点５１がスイッチ７を押して、スイッチ７が導通される。指４１を離すと、操作ボタン３０ｂは弾性変形したゴムシート５の復元力により元の位置に戻る。
なお、操作ボタン３０、３１の支軸３５と支軸用爪１４は、リモコン装置１では、十字ボタン３２と接する側に設けられているため、図４（ｃ）に示すように、指４２が操作ボタン３０ｂと十字ボタン３２を同時に押しても、操作ボタン３０ｂは支軸３５と支軸用爪１４により移動せずに、硬質感が与えられる。そして自動的に十字ボタン３２のみが奥側へ移動することになる。以上により、十字ボタン３２の左右のスイッチ接点が隣り合う操作ボタン３０、３１に接近していて、操作する際に同時押しをしても、必ず十字ボタン３２のスイッチが導通されるようになる。
【００１８】
次に図５で操作ボタン３０ａ〜３０ｃの構成を説明する。なお、操作ボタン３１ａ〜３１ｃも同様の構成となる。
図５（ａ）Ｂ−Ｂ’ 拡大断面図に示すように、操作ボタン３０ａ〜３０ｃは間に仕切壁を設けずに近接して配置されている。前記操作ボタン３０ａ〜３０ｃの間に対応する位置には、操作規制部８がケース凹部１２に立設されている。同操作規制部８は図６で示すように、ケース凹部１２から立設した支持部８０と揺動部材８１からなり、支持部８０の上部には軸８０ａがあり、同軸８０ａの下端にはストッパー８０ｂが備えられている。揺動部材８１は前記軸８０ａを回転軸にして回動し、かつ前記軸８０ａに係合するために下部に切り欠き部８２を設けた回転部８１ａと、同回転部８１ａの回転の中心に合わせ左右に延びるように直線状に設けられた第１作用片８１ｂと第２作用片８１ｃからなり、揺動部材８１は対称形となっている。
【００１９】
操作ボタンの前記リブ３６は、前記第１作用片８１ｂと第２作用片８１ｃの端部に操作ボタン３０を押した時に接するように合わせて設けられている。
【００２０】
図５（ｂ）に示すように操作ボタン３０ａと操作ボタン３０ｂの２つを同時に押した際に、指４０が若干操作ボタン３０ｂ側に押圧力を多くして押した場合、操作ボタン３０ｂのリブ３６ｂが操作ボタン３０ａのリブ３６ａよりも先に押下方向に移動することで第一作用片８１ｂが、第二作用片８１ｃよりも先に下方へ傾き、操作ボタン３０ｂが移動して、ゴムシート５の接点５１を押すと同時にスイッチ７が導通する。また、第一作用片８１ｂが下方へ傾くことで、第二作用片８１ｃは上方へ傾くことになり、第二作用片８１ｃに接する操作ボタン３０ａのリブ３６ａは規制され、操作ボタン３０ａは下方へ移動できなくなる。さらに、第一作用片８１ｂは下方へ傾くが、軸８０ａの下にあるストッパー８０ｂに回転部８１ａの切り欠き部８２が当たることで、回動を規制され、第２作用片８１ｃも一定以上は上方へ傾くことが規制され、操作ボタン３０ａと操作ボタン３０ｃを上方へ押し上げ過ぎることはない。
【００２１】
図５（ｃ）は、操作ボタン３０ａと３０ｂを指４０が同じ押圧力で押した場合の図である。操作ボタン３０ａと操作ボタン３０ｂを同じ押圧力で押した場合は、操作規制部８の第１作用片８１ｂと第２作用片８１ｃに同じ力が掛かることになり、揺動部材８１は平衡状態となる。これにより、操作ボタン３０ａと操作ボタン３０ｂはどちらも下方へ移動を規制されスイッチ７が導通されないこととなる。
【００２２】
これにより、近接して配置された操作ボタンを２つ同時に押した場合に、押圧力の差により、操作ボタンの背面側に備えたリブ３６が先に操作規制部８の作用片８１ａ、８１ｂに接した方の操作ボタンのスイッチ７が導通され、一方の操作ボタンは操作規制部８の作用片によって動きを規制される。また、同じ押圧力で押した場合はどちらの操作ボタンも移動が規制されるため、２以上の操作ボタンの同時押しが防止できる。
【００２３】
また、本発明の操作ボタン装置は、リモコン装置に限らず、あらゆる電子、又は電気機器に使うことが出来き、特に住宅内に設置される機器に有効である。
【符号の説明】
【００２４】
１：リモコン装置
１０：ケース
１２：ケース凹部
１３：挿通孔
２：表示部
２０：液晶画面
３：操作部
３０ａ〜３０ｃ、３１ａ〜３１ｃ：操作ボタン
３２：十字ボタン
３３：決定ボタン
３４：係止爪
３５：支軸
３６：リブ
３７：突起部
５：ゴムシート
６：基板
７：スイッチ
８：操作規制部
８０：支持部
８０ａ：回転軸
８０ｂ：ストッパー
８１：揺動部材
８１ａ：回転部
８１ｂ：第１作用片
８１ｃ：第２作用片
８２：切り欠き部
【図１】
2011210504.tif 000003
【図２】
2011210504.tif 000004
【図３】
2011210504.tif 000005
【図４】
2011210504.tif 000006
【図５】
2011210504.tif 000007
【図６】
2011210504.tif 000008